(57)【要約】【課題】  顔の美容法に関しては、さまざまな方法が行われているが、スキンケアーが中心であり、あくまでも現状維持や一時的な回復を期待するものであり、本質的な肌の改善にはなりえないものであった。【解決手段】３０℃以上で炭酸ガス濃度が５００ｐｐｍ以上の高濃度炭酸温水に好ましくは５分以上顔を浸けることにより、皮下の毛細血管の血流が良くなり肌の新陳代謝が活発になる。そして、毎日続けることで皮下の毛細血管が肌に向かって発達すると考えられ、恒久的な肌の改善につながる。この高濃度炭酸温水による顔浴を手軽に行えるように、口か鼻で呼吸ができるお面形状の容器を装着し、その中に高濃度炭酸温水を注入し、顔の表皮が高濃度炭酸温水に直接触れた状態を５分以上保て、リクライニング状態でも使用できる方法と器具を提案するものである。【選択図】図１
2009142619.tif 000002
【特許請求の範囲】
【請求項１】
液体を収容できる装着容器を顔に付け、該装着容器に溶存炭酸ガス濃度が５００ｐｐｍ以上で湯温が３０℃以上の炭酸温水を収容し、少なくとも３分以上炭酸温水を顔に接触させることを特徴とする炭酸温水による顔の美容方法
【請求項２】
前記装着容器内部に鼻に密着する、および／又は、口にくわえられる形状である共に装着容器外部に連通する穴をもつ呼吸管を有し、その呼吸管を通じて呼吸をしながら長時間炭酸温水に顔を接触させた状態を保つことを特徴とする請求項１に記載の美容方法
【請求項３】
前記炭酸温水が、容器に３０℃以上の温水を入れ、該温水に重炭酸ナトリウムと共にクエン酸、アスコルビン酸、リンゴ酸、フマル酸、コハク酸等の少なくとも１つを投入して生成した炭酸温水であることを特徴とする請求項１および２に記載の美容方法
【請求項４】
前記炭酸温水が、３０℃以上の温水に炭酸ガスを吸収させることにより生成した炭酸温水であることを特徴とする請求項１および２に記載の美容方法
【請求項５】
前記炭酸温水に、アスコルビルリン酸マグネシウム、アスコルビルリン酸ナトリウム、アスコルビン酸−２−リン酸−６−パルチミン酸等のビタミンＣ誘導体や、アスパラギン酸ナトリウム、アラニン、アラントイン、アルギニン、イソロイシン、イノシン酸２Ｎａグアニル酸２Ｎａグリシン、グルタミン酸、セリン、タウリン、チロシン、トレオニン、バリン、ヒスチジンＨＣＬ、フェニルアラニン、プロリン、リシンＨＣＬ、ロイシン等のアミノ酸類やセイヨウオオバコ種子エキス、ヒメフウロエキス等の少なくても１つを添加することを特徴とする請求項１乃至４記載の美容方法
【請求項６】
顔の表面の形状に似た形状のマスク状の容器を有し、該容器の外周に容器内に液体を保持する為の板状のパッキンを有し、該パッキンには顔を押し入れることができる開口部を中央部に有し、前記容器の上部に液体を注入できる開口部を有し、該容器の左右の面に連通したチューブ状の管を有し、該チューブの中央位置に鼻の穴に密着して鼻に水が入らないような円錐形状の２つの弾性突起を有し、該突起の先端中央から前記チューブ内部の連通管につながる連通部を有し、前記チューブと前記容器の接続部には、液体が漏れないようにシール部材を有するか、チューブと前記容器が液密に接着されており、前期容器を顔に固定できるように、前記容器の片側の側面から後頭部上部を介して反対側の側面に達するような伸縮自在の板状の弾性体が前記容器の両側面に固定されており、該弾性体の長さを調整できる機構を有していることを特徴とする炭酸温水美容器具
【請求項７】
前記容器の下部に開口部を有し、該開口部にビニール袋の開口部を液密でかつ着脱可能に固定できる装着部を有し、前記容器の外側に前記開口部を塞ぐように板状のゴムやビニールあるいは布でできたかバーを前記容器の形状に沿って着脱可能に装着でき、該カバーと前記容器表面との間に、前記ビニール袋を折りたたんで挟み込むことができることを特徴とする請求項６に記載の炭酸温水美容器具
【請求項８】
前記容器の左右の面に連通したチューブの代わりに、前記容器の前面下方に外部に連通したチューブを有し、該チューブはスノーケルのマウスピースのように口でくわえて中央の穴から息ができる形状であることを特徴とする請求項６および７に記載の炭酸温水美容器具
【請求項９】
前記チューブの上部には鼻の穴に密着して鼻に水が入らないような円錐形状の２つの弾性突起を有することを特徴とする請求項８に記載の炭酸温水美容器具
【請求項１０】
前記円錐状の弾性突起の先端中央から前記チューブ内部につながる連通部を有していることを特徴とする請求項９に記載の炭酸温水美容器具
【発明の詳細な説明】
【技術分野】
【０００１】  本発明は、温度が３０℃以上で炭酸ガスの含有濃度が５００ｐｐｍ以上になるようにした炭酸温水を顔に長時間接触させることによる顔の美容技術に関するものである。【０００２】  また、本発明は、高濃度の炭酸温水にアミノ酸やビタミンＣ誘導体などの美容液を溶解させた温水に顔表面を長時間接触させることによる顔の美容技術に関する物である。【０００３】  さらに、本発明は炭酸温水を顔表面に接触させる際、桶などに入れた炭酸温水に顔を浸けるのではなく、正面を向いた状態あるいは仰向けになった体勢できるようにした顔の美容技術に関するものである。
【背景技術】
【０００４】  従来から、顔の美容に関しては、さまざまな方法が提案されてきた。たとえば、オイルによる顔のマーサージにより血行を良くすると共に栄養分を刷り込む方法である。【０００５】  あるいは、パックなどのように時間をかけて栄養や水分を肌からしみこませる方法がある。また、超音波やスチームなどにより毛穴を広げて毛穴の汚れを取り除く方法などもある。【０００６】  また、蒸しタオル美容法などのように、顔を保温することにより、やはり血行促進と水分補給を促す方法がある。
【発明が解決しようとする課題】
【０００７】  しかし、これらの方法は一時的に血行を良くしたり、栄養や水分を補給することは出来るが、本質的な肌の改善になっているかどうかは疑問が残る。すなわち、摩擦や刺激により良くなった血行は、刺激がなくなるとすぐに元に戻り、外から刷り込んだ栄養分や水分は肌に留まることはなく効果はすぐに消えてしまう。
【０００８】  本質的に肌の改善を行う為には、体が持つ本来の機能である新陳代謝を促進してやることが大切である。言い換えると本質的に血行を良くし、さらには毛細血管自体を肌に向かって発達させることが大切である。
【０００９】  肌の老化は血管から運ばれてくる水分の保持力減少と栄養分の不足である。毛細血管を顔の皮膚表面に向かって発育させて、皮下の血流を増加させることにより、本質的な改善効果が期待できる。
【課題を解決するための手段】
【００１０】  人は酸素を吸い炭酸ガスを吐き出しているが、これは吸った酸素が血液により細胞に運ばれて消費され、代わりに炭酸ガスを細胞から引き取って呼気により体外に排出している。
【００１１】  炭酸ガスが高濃度で溶解した炭酸温水に肌を浸すと、炭酸ガスが皮膚から吸収され、吸収された炭酸ガスは毛細血管に入り、そして炭酸ガスが毛細血管内に増えると、体は炭酸ガスを早く排出しようとして、毛細血管を流れる血液量を増やすという報告がある。
【００１２】  この毛細血管の血行促進により、肌への酸素・水分・栄養の補給が増加され肌本来の機能である新陳代謝が促進される。炭酸温水で肌を浸すのを止めるとすぐに血流量は元に戻るが、この炭酸温水浴を続けることにより、次第に毛細血管自体が皮膚に向かって発達すると報告されている。
【００１３】  本発明は、この炭酸温水浴を顔に対して応用するものである。方法としては顔を温水に浸す方法があるが、息ができないのでスノーケルのような呼吸補助具が必要なことと、前に屈む姿勢になるため長時間行なうのは辛いという問題があった。
【００１４】  本発明においては、炭酸温水を収納できるマスク容器を顔に装着し、そのマスク容器の中に炭酸温水を注入し、顔表面に炭酸温水が長時間接触する構造とした。そして、鼻か口で息ができるように、鼻に密着した連通管がマスク容器の外に連通しているか、口でくわえる連通管がマスク容器の外に連通しており、顔全体をマスク容器でお面のように覆い、この中に炭酸泉を上部から流し込むようにしてマスク容器の内部に注ぐようにした。これにより、顔を炭酸温水に浸けるのではなく、通常の姿勢である前を向いた姿勢やリクライニングした姿勢でも炭酸温水に顔を浸けているのと同じ状態を作ることが可能となった。
【００１５】  ここで、炭酸温水が肌と接触している間だけ接触している部分の肌直下の毛細血管の血流が良くなるが、炭酸温水との接触をやめたとたん血流は元に戻る為、少なくとも５分以上望ましくは１０分間連続的に炭酸温水に肌が接触していることが重要である。本発明の方法であれば、口や鼻で呼吸をすることが可能であり、長時間続けることが可能である。
【００１６】  また、高濃度炭酸温水による美容法は毎日続けることが大切である為、手軽にできるように入浴時に行う事を基本とし、入浴時に別容器にお湯を入れ、そこに専用の粉末を入れて炭酸温水を作り、その炭酸温水を顔に装着したマスク容器内に入れて体と共に、顔の温浴を行う事ができるものである。
また、炭酸温水生成装置などで、お風呂を炭酸温水にしている場合は、そのお湯をきれいなうちに別容器に取って、ふたをしてお風呂に浮かばせておけば、入浴時にその炭酸温水を顔に装着したマスク容器に入れて使用することもできる。
【発明を実施するための最良の形態】
【００１７】  図１は本発明における美容器具を装着した状態を側面から見た図で、一部を断面として示している。マスク容器１には外周に板状のパッキン６がマスク容器１の淵１０を抱え込むように装着されている。これにより、マスク容器内の炭酸温水が漏れないようになっている。
さらに、接着剤でマスク容器１とパッキン６を液密に接着したり、外側から金属板内臓の軟質樹脂のコの字型飾り帯（図示せず）などでパッキン６を外側から挟み込んでお湯の漏れを防いでも良い。【００１８】  マスク容器１に取り付けられたバンド９を後頭部上部に回して装着することにより、パッキン６は接顔部２７のように顔の額から顔の両側を通り顎の下まで全ての位置において顔に密着して、内部の炭酸温水を顔とマスク容器の間に閉じ込めるようになっている。バンド９はマスク容器１に接着剤などで固定されたベルト２４に取り付けられた接続具２５の２つの溝を通して折り返すようにしてつながれている。したがって、その折り返している長さを変えることで、バンド９の長さを調節できる構造となっている。【００１９】  図２に示すように、鼻呼吸アダプタ２はマスク容器１の両サイドに連通したチューブ３の中央に取り付けられており、図３に示すように鼻呼吸アダプタ２にチューブ３が挿入されており、図４に示すようにチューブ３に開けられた穴１２と鼻呼吸アダプタ２に開けられた穴７が同じ位置になるように挿入されており、鼻呼吸アダプタ２の穴７がチューブ３を通してマスク容器１の外部に連通している。【００２０】  チューブ３とマスク容器１の接続部は図１、図２、図５に示すように、マスク容器１にシール部材４が取り付けられており、そのシール部材４の穴を通してチューブ３がマスク容器１の外部に出ている。【００２１】  鼻呼吸アダプタ２は図１および図２に示すように、鼻の穴に密着するように装着でき、チューブ３を介してマスク容器１に対してある程度自由に動くことができるため、鼻にフィットさせることができる。
この鼻呼吸アダプタ２により、マスク容器１内部が炭酸温水で満たされていても、楽に呼吸をすることができるようになっている。【００２２】    次に、炭酸温水を作る実施例を説明する。図６に示すように所定の大きさの容器１４に３８℃程度のお湯１５を入れ、所定量の炭酸水素ナトリムの粉末１６とクエン酸の粉末１７を入れると、瞬時にして反応し高濃度の炭酸温水ができる。ここで、クエン酸にビタミンＣ誘導体やアミノ酸などを混ぜておいてもよいし、クエン酸ではなく他の有機酸でもよい。【００２３】  さらに、図６では炭酸水素ナトリウムとクエン酸の粉末を別々の分包に入れているが、両方を１つの分包に入れても良いし、粉末ではなく両方を混ぜ合わせた物を１つの固形剤としても良い。
また、お湯に上記の粉末を入れるのではなく、炭酸温水生成装置で炭酸温水を作って、容器７に入れても良い。【００２４】  次に、温浴のやり方を説明する。入浴時に浴室で容器１４に炭酸温水を作り、マスク容器１を顔に装着する。容器１４の炭酸温水を図１に示すマスク容器１の開口部１８からＡ矢印のようにマスク容器１と顔の間に一杯になるまで注ぐ。その状態で５分から１０分保ち、高濃度炭酸温水による顔浴を行ない、所定の時間が過ぎたらマスク容器１を外す。炭酸温水は下にこぼれるが、浴槽内か浴室の床にこぼれるだけなので、特に問題はない。【００２５】  次に、浴室以外で顔浴を行なう場合の実施例を説明する。図７に示すようにビニール袋１３の開口端１１を弾性体からなるリング状のパッキン１９の穴を通した後パッキン１９を包むようにビニール袋の開口端１１を折り返し、図８に示すようにパッキン１９の外側にあるビニール３０をマスク容器１の穴２８とパッキン１９で挟むようにパッキン１９をマスク容器１の穴２８に挿入する。  さらにリング状のブッシュ２６をパッキン１９の穴に差し込みビニール袋１３をブッシュ２６とパッキン１９の間に挟みこむようにする。【００２６】  また、図９および図１０に示すように、マスク容器１にはゴムやビニールあるいは布でできたカバー２２の一端が接着部３１でマスク容器１に接着固定されており、もう一端がマスク容器１の取り付け部２３でマスク容器１に面ファスナーなどで着脱可能に取り付けられている。そして、ビニール１３を折りたたんでカバー２２でマスク容器とカバー２２の間に挟みこむ。ここで、接着部３１も面ファスナーなどにより着脱自在の固定方法を用いても良い。【００２７】  後は浴室で行なう場合と同様に、容器１４に入った炭酸温水をマスク容器１の開口部からこぼれないように注ぎ込む。このとき、入れすぎて開口部１８からマスク容器１の外に炭酸温水がこぼれないように注意する。この状態で５〜１０分維持して、顔の炭酸浴をおこなう。その際、開口部１８から炭酸温水がこぼれるのを防止する為に、キャップ（図示せず）などで開口部１８を塞いでもよい。【００２８】  顔浴が終わったら、開口部１８を塞いでいる場合は塞いでいるキャップをとり、カバー２２を取り外す。すると挟まれていたビニール袋１３内にブッシュ２６の穴を通りマスク容器１内の炭酸温水が流れ出る。このとき、ビニール袋１３は流れ出る炭酸温水が全て入る程度の大きさにしておく。【００２９】  炭酸温水が全てビニール袋１３に流れ出たら、マスク容器１を顔から取り外し、マスク容器１ごとシンクなどに持って行き、ビニール袋１３内の炭酸温水を捨てる。ビニール袋１３は使い捨てにしてもよいし、洗って再利用してもよい。【００３０】  次に、本発明の別の実施例である、口で呼吸をする場合の実施例を説明する。この場合は、図１１に示すように鼻呼吸アダプタ２およびチューブ３の代わりに、マウスピース８がマスク容器１に設けられている。マウスピース８はスノーケルに用いられている物と同じように、内部が空洞となっていて、口でくわえた端部とマスク容器１の外部とが連通しており、口で呼吸できるようになされている。【００３１】  さらに、マウスピース８の上部には鼻呼吸アダプタ２と同じように鼻の穴に密着するように円錐状の突起２９が２つあり、突起２９の中心に穴が空いていてマウスピース８の内部の連通管につながっている。これにより、鼻からお湯が入るのを防止すると共に、口だけではなく鼻でも呼吸ができるようになされている。【００３２】  上記では、マウスピース８の上部に円錐状の突起があるが、この突起のないマウスピースと鼻呼吸アダプタ２およびチューブ３の両方を設けても良い。さらに、マウスピース８の上部の突起の中心に穴がなく、鼻からお湯が入るのを防止するだけの構造であってもかまわない。
【発明の効果】
【００３３】  従来の美容方ではなかった顔浴を高濃度炭酸温水を使って行う事により、炭酸ガスが肌表面から皮下の毛細血管に入り、これにより毛細血管の血流を促し新陳代謝を活発にすることが出来る。新陳代謝が活発になると肌の細胞への水分や栄養の補給が活発になり、肌本来の美しさを取り戻すことが出来る。また、高濃度炭酸温水による顔浴を続けることにより毛細血管が肌に向かって発達し、恒久的に肌を若返らせることができる。
【００３４】  本発明により手軽に高濃度炭酸温水による顔浴が出来るようになり、毎日続けることが可能になる。また、苦しい体制ではなく浴槽の淵に頭を乗せたようなリクライニングした体制でできるため、高濃度炭酸温水による顔浴を少なくとも５分以上連続して行う事ができるようになる。
【００３５】  また、高濃度炭酸温水だけではなく、付加的にビタミンＣ誘導体やアミノ酸などを混ぜることによりさらに効果を上げることが期待できる。
【００３６】  本発明により、女性の永遠の願望である「いつまでも若々しくいたい」という願いを本質的な肌の改善として実現できる。
【図面の簡単な説明】
【００３７】
【図１】：本発明の実施例における装着状態の側面図を示す
【図２】：本発明の実施例における装着状態の正面図を示す
【図３】：鼻呼吸アダプタの外観図を示す
【図４】：鼻呼吸アダプタの断面図を示す
【図５】：鼻呼吸用のチューブとマスク容器の取り付け部を示す
【図６】：粉末による炭酸温水の生成方法を示す
【図７】：ビニール袋をパッキンに装着した状態を示す
【図８】：本発明の第２の実施例における装着状態の側面図を示す
【図９】：本発明の第２の実施例における装着状態のもう一つの側面図を示す
【図１０】：本発明の第２の実施例における装着状態の正面図を示す
【図１１】：本発明の第３の実施例における装着状態を示す
【符号の説明】
【００３８】１  マスク容器  、  ２  鼻呼吸アダプタ  、  ３  チューブ
４  シール部材  、  ５  端部  、  ６  パッキン  ７  穴
８  マウスピース  、９  バンド  、  １０  淵  、  １１  開口端
１２  穴  、  １３  ビニール袋  、  １４  容器  、  １５  お湯
１６  炭酸水素ナトリムの粉末  、  １７  クエン酸の粉末
１８  開口部  、  １９  パッキン  、  ２０  ナット
２２  カバー  、  ２３  取り付け部
２４  ベルト  、  ２５  接続具  、  ２６  ブッシュ
２７  接顔部  、  ２８  穴    、  ２９  突起
３０  ビニール  、  ３１  接着部
【図１】
2009142619.tif 000003
【図２】
2009142619.tif 000004
【図３】
2009142619.tif 000005
【図４】
2009142619.tif 000006
【図５】
2009142619.tif 000007
【図６】
2009142619.tif 000008
【図７】
2009142619.tif 000009
【図８】
2009142619.tif 000010
【図９】
2009142619.tif 000011
【図１０】
2009142619.tif 000012
【図１１】
2009142619.tif 000013